(57)【特許請求の範囲】
【請求項１】
電子機器の待機状態であっても動作している電子回路部と、
上記電子回路部に電力を供給する電源部と、
上記電源部から上記電子回路部への電源供給路に設けられたスイッチ手段と、
入力電源の有無を検出する入力検出手段とを有し、
上記入力検出手段において、上記入力電源が供給されていないと判断されたときに、上記スイッチ手段をオフとし、上記入力電源が供給されていると判断されたときに、上記スイッチ手段をオンとする
ようにしたことを特徴とする電子機器の電源装置。
【請求項２】
上記電源部は、充電可能な二次電池としたことを特徴とする請求項１に記載の電子機器の電源装置。
【請求項３】
さらに、上記二次電池を充電するための充電手段を有し、
上記二次電池の容量が少なくなったときに充電するようにしたことを特徴とする請求項２に記載の電子機器の電源装置。
【請求項４】
上記入力検出手段は、
スイッチング制御電源部のトランスの分布容量を利用して、上記入力電源の有無を検出するようにしたことを特徴とする請求項１に記載の電子機器の電源装置。
【請求項５】
電子機器の待機状態であっても動作している電子回路部と、
上記電子回路部に電力を供給する電源部と、
上記電源部から上記電子回路部への電源供給路に設けられたスイッチ手段と、入力電源の有無を検出する入力検出手段とを有する電子機器の電源装置であって、
上記入力検出手段において、上記入力電源が供給されていないと判断されたときに、上記スイッチ手段をオフとし、上記入力電源が供給されていると判断されたときに、上記スイッチ手段をオンとする
ようにしたことを特徴とする電子機器の電源装置の制御方法。
【請求項６】
上記電源部は、充電可能な二次電池としたことを特徴とする請求項５に記載の電子機器の電源装置の制御方法。
【請求項７】
さらに、上記二次電池を充電するための充電手段を有し、
上記二次電池の容量が少なくなったときに上記スイッチ手段をオンとするようにしたことを特徴とする請求項６に記載の電子機器の電源装置の制御方法。
【請求項８】
上記入力検出手段は、
スイッチング制御電源部のトランスの分布容量を利用して、上記入力電源の有無を検出するようにしたことを特徴とする請求項１に記載の電子機器の電源装置の制御方法。
【発明の詳細な説明】
【０００１】
【発明の属する技術分野】
この発明は、例えばリモコンの受信部のように待機状態でも動作する必要のある電子回路部を有する電子機器の電源装置およびその制御方法に関する。
【０００２】
【従来の技術】
現在、電子機器の消費電力を抑えるために、電子機器の主回路が動作していないときに、電子機器の主回路に対する電力の供給を停止させて、待機状態とされる電子機器が多く存在する。この待機状態には、例えばリモートコントローラのコマンダ（以下、「リモコン」と称する）から電子機器の主回路を動作させるための信号の受信を待機する場合や、予め設定された時刻に電子機器の主回路に電力を供給させて、電子機器の主回路を動作させるまで待機する場合などがある。
【０００３】
この待機状態のときの消費電力を抑えるために、待機状態であっても動作している回路（以下、「待機状態動作回路」と称する）を電子機器の主回路とは異なる回路として設け、待機状態のときには待機状態動作回路のみを動作させるようにしているものがある。
【０００４】
さらに、この待機電力を商用電源から生成する電子機器と、待機電力を出力する電源部（以下、「待機電源部」と称する）を設けるようにした電子機器とがある。このとき、待機電源部を設けた電子機器の方が、商用電源から待機電力を生成する電子機器より消費電力を抑えることができる。
【０００５】
つまり、待機状態のときには、待機状態動作回路と、その待機状態動作回路に対して電力を供給する商用電源または待機電源部から待機状態動作回路までの間に設けられている様々な素子とによって電力が消費される。一般的に商用電源の電力から待機電力を生成する電子機器の方が、待機電源部を設けた電子機器より、待機状態動作回路までの間に設けられている素子が多いため、より多くの電力が消費される。
【０００６】
従って、待機状態のときの消費電力を低く抑えるために、待機電源部を設け、できるだけ電力を消費しないところで商用電源の電力の入力を遮断することが可能な電源遮断スイッチを設けている電子機器がある。
【０００７】
【発明が解決しようとする課題】
しかしながら、このような電子機器が待機状態のときに、例えば商用電源から電力を供給するために電子機器から延設されているプラグがＡＣコンセントから外れた場合、電子機器はプラグがＡＣコンセントから外れたことを検出することができなかった。
【０００８】
例えば、予め所望の時刻に電子機器の主回路を動作させるように設定されている場合、その所望の時刻になったときに、主回路を動作させるために、電源遮断スイッチをオンとさせる。このときに商用電源の電力が供給されないために、電子機器から延設されているプラグがＡＣコンセントから外れていることが検出される。
【０００９】
従って、プラグがＡＣコンセントから外れたときから電源遮断スイッチがオンとなる所望の時刻までの間、プラグがＡＣコンセントから外れているために、電子機器の主回路に電力を供給することができないので、電子機器を動作させることができないにも係わらず、待機電源部は待機状態動作回路に対して電力を消費していたとこになる。
【００１０】
そこで、この発明の目的は、待機状態であってもプラグがＡＣコンセントから外れたことを検出することができる電子機器の電源装置およびその制御方法を提供することにある。
【００１１】
【課題を解決するための手段】
上述した課題を達成するために請求項１の発明は、電子機器の待機状態であっても動作している電子回路部と、電子回路部に電力を供給する電源部と、電源部から電子回路部への電源供給路に設けられたスイッチ手段と、入力電源の有無を検出する入力検出手段とを有し、入力検出手段において、入力電源が供給されていないと判断されたときに、スイッチ手段をオフとし、入力電源が供給されていると判断されたときに、スイッチ手段をオンとするようにしたことを特徴とする電子機器の電源装置である。
【００１２】
請求項５に記載の発明は、電子機器の待機状態であっても動作している電子回路部と、電子回路部に電力を供給する電源部と、電源部から電子回路部への電源供給路に設けられたスイッチ手段と、入力電源の有無を検出する入力検出手段とを有する電子機器の電源装置であって、入力検出手段において、入力電源が供給されていないと判断されたときに、スイッチ手段をオフとし、入力電源が供給されていると判断されたときに、スイッチ手段をオンとするようにしたことを特徴とする電子機器の電源装置の制御方法である。
【００１３】
このように、待機状態であっても、商用電源から電力が供給される電子機器から延設されたプラグがＡＣコンセントから外れたことを検出することができるので、待機状態時に動作している制御手段に対して電力の供給を停止することができる。このため、待機状態のときの、制御手段に電力を供給する電源部の省電力化を図ることができる。
【００１４】
【発明の実施の形態】
以下、この発明の実施形態について図面を参照して説明する。図１は、この発明が適用された第１の実施形態の全体的構成を示す。端子Ｔ１およびＴ２を介して商用電源の電力、すなわち交流の電力が供給される。供給された交流の電力は、電源遮断スイッチ回路３を経由して、ダイオード４およびコンデンサ５から構成される整流回路へ供給される。ダイオード４およびコンデンサ５から供給される整流回路では、供給された交流の電力が整流され直流の電力として出力される。
【００１５】
出力された直流の電力は、トランス６の一次巻き線Ｌ１へ供給される。トランス６の一次巻き線Ｌ１に電力が供給されると、トランス６の二次巻き線Ｌ２に起電力が誘起される。誘起された起電力は、ダイオード７およびコンデンサ８から構成される整流回路へ供給される。ダイオード７およびコンデンサ８から構成される整流回路において、起電力が安定した直流の電力に整流され、出力される。
【００１６】
ダイオード７およびコンデンサ８から構成される整流回路から出力される電力の電圧が電圧検出回路９において、検出される。電圧検出回路９において、検出された電圧が所定の電圧以上であると判断されると、スイッチ制御回路１０へ、例えばハイレベルの信号が供給され、検出された電圧が所定の電圧未満であると判断されると、スイッチ制御回路１０へ、例えばローレベルの信号が供給される。
【００１７】
スイッチ制御回路１０では、電圧検出回路９からハイレベルの信号が供給されると、スイッチ回路１１が端子１１ａと接続する制御信号がスイッチ回路１１へ供給される。スイッチ制御回路１０では、電圧検出回路９からローレベルの信号が供給されると、スイッチ回路１１が端子１１ｂと接続する制御信号がスイッチ回路１１へ供給される。
【００１８】
スイッチ回路１１が端子１１ａと接続されると、リモコン信号受信回路１７に対して、ダイオード７およびコンデンサ８から構成される整流回路から出力される電力が供給される。
【００１９】
なお、この実施形態では、説明を容易とするために、リモコン信号受信回路１７を待機状態動作回路の一例とする。リモコン信号受信回路１７では、ユーザが操作するリモコン（図示なし）から出力される様々な制御信号を受信し、受信した制御信号に応じた制御を行うように、該当する回路ブロックに制御信号が出力される。
【００２０】
例えば、電子機器を動作させる信号または電子機器の動作を停止させる信号がリモコンから出力され、リモコン信号受信回路１７で受信した場合、リモコン信号受信回路１７から動作回路１８へ、例えばハイレベルの信号が供給される。動作回路１８では、電源遮断スイッチ回路３を切り替えるように制御回路１９に信号が供給される。
【００２１】
制御回路１９では、電源遮断スイッチ回路３がオンの場合、オフに切り替えるように制御信号が出力され、電源遮断スイッチ回路３がオフの場合、オンに切り替えるように制御信号が出力される。電源遮断スイッチ回路３では、制御回路１９から供給された制御信号に応じて、そのオン／オフが切り替えられる。電源遮断スイッチ回路３は、電子機器の主回路に電力を供給させ、電子機器を動作させるときにオンとされ、電子機器の主回路に電力の供給を停止させ、電子機器の動作を停止させるとき、すなわち待機状態のときの消費電力を抑えるためにオフとされる。
【００２２】
このように、この第１の実施形態では、リモコン信号受信回路１７からハイレベルの信号が出力された場合、電源遮断スイッチ回路３のオン／オフは、交互に切り替えられるが、リモコン信号受信回路１７からハイレベルの信号が出力されたときに、電源遮断スイッチ回路３をオンとし、ローレベルの信号が出力されたときに、電源遮断スイッチ回路３をオフとするようにしても良い。
【００２３】
ここで、この図１では、端子Ｔ１からコンデンサ１、抵抗１２、コンデンサ２を介して端子Ｔ２へと繋がる回路が構成されている。そして、抵抗１２の両端の電位差から、端子Ｔ１およびＴ２から商用電源の電力が供給されているか否かを検出するＡＣ入力検出回路１３が設けられている。なお、ＡＣ入力検出回路１３において、商用電源の電力が供給されているか否かを判断することができれば良いので、コンデンサ１および２は、一例として容量の少ないもので良い。それによって、絶縁化の基準を遵守することができる。また、コンデンサ１および抵抗１２の接続点がトランス６の二次巻き線Ｌ２の他端と接続されている。
【００２４】
このＡＣ入力検出回路１３では、容量の少ないコンデンサ１および２に流れる微少電流によって、抵抗１２の両端に電位差が発生し、発生した電位差が検出される。このＡＣ入力検出回路１３において、電位差が検出されると、端子Ｔ１およびＴ２から商用電源の電力が供給されていることが判断される。すなわち、ＡＣ入力検出回路１３では、所定の電圧を超える、例えば０Ｖを超える電位差が検出されると、スイッチ回路１５をオンとするための制御信号を出力するようにスイッチ制御回路１４へ、例えばハイレベルの信号が供給され、所定の電圧以下、例えば０Ｖの電位差が検出されると、スイッチ回路１５をオフとするための制御信号を出力するようにスイッチ制御回路１４へ、例えばローレベルの信号が供給される。
【００２５】
スイッチ制御回路１４では、ＡＣ入力検出回路１３からハイレベルの信号が供給されると、スイッチ回路１５をオンとする制御信号がスイッチ回路１５へ供給され、ＡＣ入力検出回路１３からローレベルの信号が供給されると、スイッチ回路１５をオフとする制御信号がスイッチ回路１５へ供給される。
【００２６】
スイッチ回路１１が端子１１ｂと接続され、スイッチ回路１５がオンとされると、リモコン信号受信回路１７は、二次電池１６から電力が供給される。すなわち、電源遮断スイッチ回路３はオフであり、電子機器から延設されているプラグはＡＣコンセントに接続されていると判断された場合である。具体的には、電源遮断スイッチ回路３がオフであるため、電圧検出回路９において、ダイオード７およびコンデンサ８から構成される整流回路から出力される電力が所定の電圧未満であると判断され、且つ端子Ｔ１およびＴ２を介して商用電源の電力が供給されているため、ＡＣ入力検出回路１３において、抵抗１２の両端の電位差が所定の電圧以上、例えば０Ｖを超えていると判断された場合である。
【００２７】
このように、電源遮断スイッチ回路３と、電子機器から延設されているプラグがＡＣコンセントに接続されているか否かが逐一判断されているので、電子機器から延設されているプラグがＡＣコンセントから外れた場合、直ちにスイッチ回路１５をオフとすることができるので、二次電池１６の電力を無駄に消費することをなくすことができる。
【００２８】
なお、二次電池１６の容量が少なくなったときに、電子機器から延設されているプラグがＡＣコンセントに接続され、商用電源から電力が供給されている場合、電源遮断スイッチ回路３がオンとされ、二次電池１６が充電される。このように二次電池１６の充電中は、電子機器の主回路に対して電力の供給を停止することができる。また、二次電池１６の充電中に、リモコンから電子機器の本体に電力を供給させるための信号をリモコン信号受信回路１７で受信した場合、電子機器の本体の動作と、二次電池１６の充電とを同時に行うことができる。
【００２９】
この第１の実施形態では、電源遮断スイッチ回路３は端子Ｔ１とダイオードブリッジ４の入力端子の一方との間に設けられ、電源遮断スイッチ回路３と端子Ｔ１との間にコンデンサ１の一端が接続されているが、電源遮断スイッチ回路３を端子Ｔ２とダイオードブリッジ４の入力端子の他方との間に設け、電源遮断スイッチ回路３と端子Ｔ２との間にコンデンサ２の一端が接続されているようにしても良い。
【００３０】
ここで、図２を参照して、この第１の実施形態の動作を説明する。ステップＳ１では、ＡＣ入力検出回路１３において、電子機器から延設されているプラグがＡＣコンセントに接続され、商用電源から電力が入力されているか否かが検出される。ステップＳ２では、検出結果に基づいて商用電源から電力が所定の電圧を超えている、例えば０Ｖを超えていると判断されると、すなわちプラグがＡＣコンセントと接続されていると判断されると、ステップＳ４へ制御が移り、商用電源から電力が所定の電圧以下、例えば０Ｖであると判断されると、すなわちプラグがＡＣコンセントから外れていると判断されると、ステップＳ３へ制御が移る。なお、ＡＣ入力検出回路１３は、プラグがＡＣコンセントと接続しているか否かを逐一検出しているので、その正否に係わらずステップＳ１の検出制御が行われる。ステップＳ３では、スイッチ回路１５がオフとされ、リモコン信号受信回路１７に二次電池１６の電力の供給が停止される。そして、ステップＳ１へ制御が戻る。
【００３１】
ステップＳ４では、電圧検出回路９において、ダイオード７およびコンデンサ８から構成される整流回路から出力される電力が検出される。ステップＳ５では、検出結果に基づいてダイオード７およびコンデンサ８から構成される整流回路から出力される電力が所定の電圧を超えていると判断されると、ステップＳ７へ制御が移り、ダイオード７およびコンデンサ８から構成される整流回路から出力される電力が所定の電圧以下であると判断されると、ステップＳ６へ制御が移る。ステップＳ６では、スイッチ回路１１が端子１１ｂと接続される。そして、ステップＳ４へ制御が戻る。ステップＳ７では、ステップ回路１１が端子１１ａと接続される。そして、ステップＳ１へ制御が戻る。
【００３２】
ここで、この発明の第２の実施形態を図３を参照して説明する。この第２の実施形態では、電源遮断スイッチ回路２１は、端子Ｔ２とダイオードブリッジ４の入力端子の他方との間に設けられている。ダイオードブリッジ４の出力端子の一方と他方との間に、抵抗２４およびコンデンサ２５が直列に設けられている。抵抗２４およびコンデンサ２５の接続点と、ダイオードブリッジ４の出力端子の他方との間に、ＰＷＭ（Pulse Width Modulation）制御回路２６が設けられている。
【００３３】
ＮＰＮ型のトランジスタ２７のベースはＰＷＭ制御回路２６と接続され、そのエミッタはダイオードブリッジ４の出力端子の他方と接続され、そのコレクタはトランス２９の一次巻き線Ｌ１の他端と接続される。トランス２９の一次巻き線Ｌ１の一端は、ダイオードブリッジ４の出力端子の一方と接続される。
【００３４】
ダイオード２８のカソードは抵抗２４およびコンデンサ２５の接続点と接続され、そのアノードはトランス２９の三次巻き線Ｌ３の一端と接続される。トランス２９の三次巻き線Ｌ３の他端は、ダイオードブリッジ４の出力端子の他方と接続される。
【００３５】
トランス２９の二次巻き線Ｌ２は、ダイオード７およびコンデンサ８から構成される整流回路と接続される。ダイオード７およびコンデンサ８から構成される整流回路から出力される電力が供給される充電回路３１によって、二次電池１６が充電される。二次電池１６からリモコン信号受信回路１７へ供給される電力は、スイッチ回路３４を介して供給される。
【００３６】
端子Ｔ２および電源遮断スイッチ回路２１の間と、トランス２９の二次巻き線Ｌ２の他端との間に、コンデンサ２２および抵抗２３が直列に設けられる。上述の第１の実施形態では、電位差を検出する抵抗１２の両端にコンデンサ１および２を設けているが、この第２の実施形態では、それらのコンデンサの一方を取り除くようにしたものである。具体的には、電位差を検出する抵抗２３の一端にはコンデンサ２２が設けられ、他端にはトランス２９の分布容量Ｃｓが利用される。
【００３７】
このように、抵抗２３の両端の電位差から、端子Ｔ１およびＴ２から商用電源の電力が供給されているか否かを検出するＡＣ入力検出回路１３が設けられている。このＡＣ入力検出回路１３では、コンデンサ２２に流れる微少電流によって、抵抗２３の両端に電位差が発生し、発生した電位差が検出される。検出された電位差から端子Ｔ１およびＴ２から商用電源の電力が供給されていることが判断される。すなわち、ＡＣ入力検出回路１３では、所定の電圧を超える、例えば０Ｖを超える電位差が検出されると、スイッチ回路３４をオンとするための制御信号を出力するように電池放電停止回路３２へ、例えばハイレベルの信号が供給され、所定の電圧以下、例えば０Ｖの電位差が検出されると、スイッチ回路３４をオフとするための制御信号を出力するように電池放電停止回路３２へ、例えばローレベルの信号が供給される。
【００３８】
電池放電停止回路３２では、ＡＣ入力検出回路１３からハイレベルまたはローレベルの信号が供給されたことを切替制御回路３３へ伝送する。切替制御回路３３では、伝送されたハイレベルまたはローレベルの信号に応じてスイッチ回路３４をオンまたはオフとするための制御信号がスイッチ回路３４へ供給される。また、切替制御回路３３には、待機状態であっても動作可能なように、二次電池１６から電力が供給される。
【００３９】
リモコン信号受信回路１７では、ユーザが操作するリモコン（図示なし）から出力される様々な制御信号を受信し、受信した制御信号に応じた制御を行うように、該当する回路ブロックに制御信号が出力される。
【００４０】
例えば、リモコンから出力された、電子機器の本体に電力を供給するか否かを指示する制御信号をリモコン信号受信回路１７で受信した場合、リモコン信号受信回路１７から帰還回路３５へ、例えばハイレベルまたはローレベルの信号が供給される。帰還回路３５では、電源遮断スイッチ回路２１を切り替えるように制御回路３７に信号が供給される。
【００４１】
制御回路３７では、電源遮断スイッチ回路２１がオンの場合、オフに切り替えるように制御信号が出力され、電源遮断スイッチ回路２１がオフの場合、オンに切り替えるように制御信号が出力される。電源遮断スイッチ回路２１では、制御回路３７から供給された制御信号に応じて、そのオン／オフが切り替えられる。電源遮断スイッチ回路２１は、電子機器の主回路に電力を供給させ、電子機器を動作させるときにオンとされ、電子機器の主回路に電力の供給を停止させ、電子機器の動作を停止させるとき、すなわち待機状態のときの消費電力を抑えるためにオフとされる。
【００４２】
このように、この第２の実施形態では、リモコン信号受信回路１７からハイレベルの信号が出力された場合、電源遮断スイッチ回路２１のオン／オフは、交互に切り替えられるが、リモコン信号受信回路１７からハイレベルの信号が出力されたときに、電源遮断スイッチ回路２１をオンとし、ローレベルの信号が出力されたときに、電源遮断スイッチ回路２１をオフとするようにしても良い。
【００４３】
そして、電源遮断スイッチ回路２１がオンとされると、ＰＷＭ制御回路２６の制御が始まり、トランス２９から電力が出力される。そのトランス２９から出力された電力がリモコン信号受信回路１７で検出される。そして、検出された電力が、所望の電圧および電流とされるように、リモコン信号受信回路１７から制御信号が帰還回路３５を介して動作制御回路３６へ供給される。
【００４４】
動作制御回路３６では、供給された制御信号に基づいて、ＰＷＭ制御回路２６の動作が制御される。ＰＷＭ制御回路２６は、トランジスタ２７のオン／オフのデューティ比を制御することによって、トランス２９から出力される電力を所望の電圧および電圧に安定化させる。具体的には、所望の電圧および電流より小さい電圧および電流が出力していると判断されると、トランジスタ２７のオンの時間が長くなるように、ＰＷＭ制御回路２６の動作が制御され、所望の電圧および電流より大きい電圧および電流が出力していると判断されると、トランジスタ２７のオンの時間が短くなるように、ＰＷＭ制御回路２６の動作が制御される。
【００４５】
この第２の実施形態では、帰還回路３５を介して動作制御回路３６からＰＷＭ制御回路２６へ制御信号を供給し、動作制御回路３６からＰＷＭ制御回路２６の動作を制御しているが、動作制御回路３６を介さず帰還回路３５から直接制御信号をＰＷＭ制御回路２６へ供給し、その動作を制御するようにしても良い。
【００４６】
この第２の実施形態では、コンデンサ２２には、ＡＣ入力検出回路１３において、端子Ｔ１およびＴ２から商用電源の電力が供給されているか否かを検出することができる量の微小電流が流れていれば良いので、その容量は少なくて良い。それによって、絶縁化の基準を遵守することができる。
【００４７】
ここで、この発明の第３の実施形態を図４を参照して説明する。この第３の実施形態は、二次電池１６の容量が少なくなったことを検出し、スイッチング制御回路４１を動作させて、二次電池１６を充電するものである。
【００４８】
具体的には、リモコン（図示なし）から待機状態とする信号をリモコン信号受信回路１７において、受信すると、期間回路３５を介して停止回路４５によって、スイッチング制御回路４１の動作を停止させる。スイッチング制御回路４１は、上述したＰＷＭ制御回路２６およびトランジスタ２７の機能を有するものであり、トランス２９から出力される電力を所望の電圧および電圧に安定化させることができる。
【００４９】
そして、リモコン信号受信回路１７において、二次電池１６の容量が逐一検出され、二次電池の容量が少なくなったと判断したときに、スイッチング制御回路４１を動作させ、安定化した電力がトランス２９から出力される。トランス２９から出力された電力によって、充電回路３１から二次電池１６が充電される。
【００５０】
さらに、抵抗４３の両端に設けられたコンデンサ４２および４４がそれぞれトランス２９の三次巻き線Ｌ３の他端および二次巻き線Ｌ２の他端に接続されている。この抵抗４３の両端の電位差をＡＣ入力検出回路１３で検出することによって、プラグとＡＣコンセントとが接続されているか、外れているかが判断される。
【００５１】
次に、図５を参照して、この発明の第１および第２の変形例を説明する。そして、第１の変形例を図５Ａに示し、第２の変形例を図５Ｂに示す。先ず、図５Ａに示す第１の変形例を説明する。端子Ｔ１と、フォトカプラの発光ダイオード５２のアノードとの間に、抵抗５１が設けられている。発光ダイオード５２のカソードは、端子Ｔ２と接続されている。
【００５２】
このようにフォトカプラの発光ダイオード５２を設けることによって、商用電源の電力が入力されているか否かを判断することができる。発光ダイオード５２の発光の有無を検出するフォトカプラのフォトダイオードを経由して、リモコン信号受信回路１７に二次電池１６の電力を供給する供給路に設けられたスイッチ回路をオン／オフするように制御することによって、上述の第１、第２、および第３の実施形態で用いられたＡＣ入力検出回路１３と同様の動作を得ることができる。
【００５３】
なお、この第１の変形例は、端子Ｔ１およびＴ２から供給される商用電源の電力、すなわち交流の電力が発光ダイオード５２に供給されるため、その発光は商用電源の周波数に応じて点滅する。
【００５４】
次に、図５Ｂに示す第２の変形例を説明する。ダイオード６１のアノードは、端子Ｔ１と接続され、そのカソードと、端子Ｔ２との間には、抵抗６２およびコンデンサ６３が設けられている。フォトカプラの発光ダイオード６４のアノードは、抵抗６２およびコンデンサ６３の接続点と接続され、そのカソードは、端子Ｔ２と接続されている。
【００５５】
この第２の変形例も上述の第１の変形例と同様に、フォトカプラの発光ダイオード６４を設けることによって、商用電源の電力が入力されているか否かを判断することができる。発光ダイオード５２の発光の有無を検出するフォトカプラのフォトダイオードを経由して、リモコン信号受信回路１７に二次電池１６の電力を供給する供給路に設けられたスイッチ回路をオン／オフするように制御することによって、上述の第１、第２、および第３の実施形態で用いられたＡＣ入力検出回路１３と同様の動作を得ることができる。
【００５６】
なお、この第２の変形例は、端子Ｔ１およびＴ２から供給される商用電源の電力、すなわち交流の電力がトランジスタ６１およびコンデンサ６３によって整流され、直流の電力にされているため、発光ダイオード６４の発光は、上述の第１の変形例とは異なり、商用電源から電力が入力されている間、点灯している。
【００５７】
この発明は、上述したこの発明の実施形態等に限定されるものでは無く、この発明の要旨を逸脱しない範囲内で様々な変形や応用が可能である。
【００５８】
この実施形態では、待機状態動作回路の一例としてリモコン信号受信回路１７を用いて説明しているが、待機状態動作回路であればどのような制御回路を適用しても良い。例えば、負荷が接続されたことを検出して、電源遮断スイッチ回路をオンするような制御回路であっても良いし、日時情報をカウントするタイマ回路であっても良い。
【００５９】
この実施形態では、リモコン信号受信回路１７に電力を供給する待機電源部の一例として、二次電池１６を用いているが、電力を充電、保持、および放電ができるものであれば、どのようなものでも良く、例えばコンデンサを使用しても全く同じ効果を得ることができる。
【００６０】
【発明の効果】
この発明に依れば、待機状態であっても、商用電源の電力を供給するために電子機器から延設されているプラグがＡＣコンセントから外れたことを検出することができるので、プラグがＡＣコンセントから外れたときに待機状態動作回路に対して待機電源部から供給していた電力の供給を停止することができる。このため、待機状態のときの消費電力をさらに抑えることができる。
【図面の簡単な説明】
【図１】この発明の第１の実施形態の全体的な構成について説明するためのブロック図である。
【図２】この発明の第１の実施形態の動作について説明するためのフローチャートである。
【図３】この発明の第２の実施形態の全体的な構成について説明するためのブロック図である。
【図４】この発明の第３の実施形態の全体的な構成について説明するためのブロック図である。
【図５】この発明の変形例の全体的な構成について説明するためのブロック図である。
【符号の説明】
Ｔ１、Ｔ２・・・端子、１、２、５、８・・・コンデンサ、３・・・電源遮断スイッチ回路、４・・・ダイオードブリッジ、６・・・トランス、７・・・ダイオード、９・・・電圧検出回路、１０、１４・・・スイッチ制御回路、１１、１５・・・スイッチ回路、１２・・・抵抗、１３・・・ＡＣ入力検出回路、１６・・・二次電池、１７・・・リモコン信号受信回路、１８・・・動作回路、１９・・・制御回路
【図１】
0003841017.tif 000002
【図２】
0003841017.tif 000003
【図３】
0003841017.tif 000004
【図４】
0003841017.tif 000005
【図５】
0003841017.tif 000006